(57)【要約】【課題】反応液の量を効率的よく調整するインクジェット記録装置を提供する。【解決手段】インクジェット記録装置は、印刷データを色データに変換する色処理部と、複数のノズルが配列され、記録媒体に対して反応液を吐出する反応液吐出部と、複数のノズルが配列され、前記色データに基づいて前記記録媒体に対してインクを吐出するインク吐出部と、前記インク吐出部によって画像が形成される前期記録媒体を搬送する副走査駆動部と、前記記録媒体に形成される前記画像の画素毎に対して、前記反応液吐出部が吐出する前記反応液の液滴量と前記インク吐出部が吐出する前記インクの総インク滴量との比率を一定に制御する制御部とを有する。【選択図】図３
2010000791.tif 000002
【特許請求の範囲】
【請求項１】
印刷データを色データに変換する色処理部と、
複数のノズルが配列され、記録媒体に対して反応液を吐出する反応液吐出部と、
複数のノズルが配列され、前記色データに基づいて前記記録媒体に対してインクを吐出するインク吐出部と、
前記インク吐出部によって画像が形成される前記記録媒体を搬送する副走査駆動部と、
前記記録媒体に形成される前記画像の画素毎に対して、前記反応液吐出部が吐出する前記反応液の液滴量と前記インク吐出部が吐出する前記インクの総インク滴量との比率を一定に制御する制御部と、
を有することを特徴とするインクジェット記録装置。
【請求項２】
前記制御部は、画素毎に吐出する前記液滴量を前記総インク滴量以下となるように前記反応液吐出部を制御することを特徴とする請求項１記載のインクジェット記録装置。
【請求項３】
前記インク吐出部は、シアンインクを吐出するシアンインク吐出部と、マゼンタインクを吐出するマゼンタインク吐出部と、イエローインクを吐出するイエローインク吐出部と、ブラックインクを吐出するブラックインク吐出部とを有することを特徴とする請求項１記載のインクジェット記録装置。
【請求項４】
前記制御部は、画素毎に前記シアンインク吐出部が吐出するシアンインク滴量、前記マゼンタインク吐出部が吐出するマゼンタインク滴量、前記イエローインク吐出部が吐出するイエローインク滴量、前記ブラックインク吐出部が吐出するブラックインク滴量を合計して前記インク吐出部が吐出する前記総インク滴量を決定することを特徴とする請求項３記載のインクジェット記録装置。
【請求項５】
印刷データを色データに変換し、
記録媒体に形成される画像の画素毎に対して吐出する反応液の液滴量とインクの総インク滴量との比率を一定に制御し、
前記画像が形成される前記記録媒体を搬送し、
前記反応液を画素毎に前記液滴量で前記記録媒体に対して吐出し、
前記色データに基づいて前記インクを画素毎に前記総インク滴量で前記記録媒体に対して吐出して画像形成することを特徴とするインクジェット記録方法。
【請求項６】
画素毎に吐出する前記液滴量を前記総インク滴量以下に設定することを特徴とする請求項５記載のインクジェット記録方法。
【請求項７】
画素毎にシアンインク滴量、マゼンタインク滴量、前イエローインク滴量、ブラックインク滴量を合計して前記総インク滴量を決定することを特徴とする請求項６記載のインクジェット記録方法。
【請求項８】
予め定められた反応液吐出量で1回以上吐出して前記反応液適量となるように調整し、
予め定められたインク吐出量で1回以上吐出して前記シアンインク滴量となるように調整し、
前記予め定められたインク吐出量で1回以上吐出して前記マゼンタインク滴量となるように調整し、
前記予め定められたインク吐出量で1回以上吐出して前記イエローインク滴量となるように調整し、
前記予め定められたインク吐出量で1回以上吐出して前記ブラックインク滴量となるように調整することを特徴とする請求項７記載のインクジェット記録方法。
【発明の詳細な説明】
【技術分野】
【０００１】
本発明は、記録媒体に反応液とインク組成物とを付着させて印字するインクジェット記録方法およびインクジェット記録装置に関する。
【背景技術】
【０００２】
インクジェット記録装置は、高精細な画像を高速で記録することができる。また、インクジェット記録装置は、ノンインパクト方式であるため騒音が少ない。しかも、インクジェット記録装置は、多色のインクを使用してカラー画像を記録することが容易である利点を有している。したがって、インクジェット記録装置はオフィスや家庭用として普及してきた。
【０００３】
従来、インクジェット記録装置では、インク組成物の小滴を飛翔させて、紙等の記録媒体に付着させて印刷するインクジェット記録方法が用いられている。この方法は、比較的安価な装置で高解像度、高品位な画像を高速で印刷可能であるという特徴を有する。通常、この方法で使用されるインク組成物は、水を主成分とし、これに着色成分および目詰まり防止等の目的でグリセリン等の湿潤剤を含有したものが一般的である。
【０００４】
一方、特許文献１に開示されているように、インク組成物とインク組成物中の成分を増粘または凝集させる成分を含んだ反応液との２液を用いるインクジェット記録方法が最近新たに提案されている。
【０００５】
上記方法は、例えば、多価金属塩溶液を記録媒体に適用した後、少なくとも一つのカルボキシル基を有する染料を含むインク組成物を記録媒体に適用する。上記方法では、記録媒体上で多価金属イオンと染料から不溶性複合体が形成される。不溶性複合体によって、耐水性がありかつカラーブリードがない高品位の画像を得ることができるとされている。特許文献２、特許文献３にも、２液を用いて記録媒体に印字するインクジェット記録方法が提案されている。一般に、２液を用いたインクジェット記録方法は、反応液とインク組成物とが接触することで良好な印字を実現している。
【０００６】
反応液がインク組成物と接触すると、反応液中の反応剤がインク組成物中の着色剤、その他の成分の分散状態を破壊し、凝集させると考えられている。２液を用いたインクジェット記録方法は、色濃度の高い、にじみ、印刷ムラの少ない画像を提供している。上記２液を用いたインクジェット記録方法で形成されたカラー画像は、異なる色の境界領域での不均一な色混じり、すなわちカラーブリードを有効に防止されている利点を有する。さらに、特許文献４および特許文献５に記載されているように、反応液とインク組成物を接触させて良好な画像を印字するためには、適切な反応液とインク組成物との付着量の比率が必要である。
【発明の概要】
【発明が解決しようとする課題】
【０００７】
しかしながら、上記比率を保つためには、インクジェット記録ヘッドを記録媒体に対して複数回走査し、反応液の量を調整する必要がある。インクジェット記録ヘッドによる複数回の走査は印刷速度が遅くなる要因である。
【０００８】
平均的に反応液の量を調整する(間引く)方法では、高濃度部分は問題無いが、文字等の画像では特別な処理、たとえば、画像エッジ部の判定が必要となる。そのため、装置構成が複雑となる欠点(問題点)がある。
【０００９】
本発明は、反応液の量を調整するインクジェット記録装置を提供することを目的とする。
【課題を解決するための手段】
【００１０】
本発明の実施形態に係るインクジェット記録装置は、印刷データを色データに変換する色処理部と、複数のノズルが配列され、記録媒体に対して反応液を吐出する反応液吐出部と、複数のノズルが配列され、前記色データに基づいて前記記録媒体に対してインクを吐出するインク吐出部と、前記インク吐出部によって画像が形成される前期記録媒体を搬送する副走査駆動部と、前記記録媒体に形成される前記画像の画素毎に対して、前記反応液吐出部が吐出する前記反応液の液滴量と前記インク吐出部が吐出する前記インクの総インク滴量との比率を一定に制御する制御部とを有する。
【発明の効果】
【００１１】
本発明のインクジェット記録装置によれば、効率よく反応液の量を調整することができる。
【図面の簡単な説明】
【００１２】
【図１】第1の実施形態に係るインクジェット記録装置の横方向の断面図。
【図２】第１の実施形態に係る画像形成方法を説明するブロック図。
【図３】第１の実施形態に係る画像形成方法の具体例を示す図。
【図４】第２の実施形態に係る画像形成方法を説明するブロック図。
【図５】第２の実施形態に係る画像形成方法の具体例を示す図。
【図６】１画素当たりのインク量と記録媒体における波打ちの関係を調査した結果を示す図。
【図７】第３の実施形態に係る画像形成方法を説明するブロック図。
【図８】第３の実施形態に係る画像形成方法の具体例を示す図。
【図９】マルチドロップ方式およびボリュームコントロール方式のインクジェット記録ヘッドによる吐出特性を説明する図。
【図１０】第1の実施形態に係るインクジェット記録装置の制御系を示すブロック図。
【発明を実施するための形態】
【００１３】
以下、本実施形態について説明する。
【００１４】
図１は、第1の実施形態に係るインクジェット記録装置１の横方向の断面図である。第１の用紙カセット１００および第２の用紙カセット１０１は、サイズの異なる記録媒体pを保持している。第１の給紙ローラ１０２は、選択された記録媒体サイズに対応した記録媒体pを第１の用紙カセット１００から取り出し、第１の搬送ローラ対１０４およびレジストローラ対１０６に搬送する。同様に、第２の給紙ローラ１０３は、選択された記録媒体サイズに対応した記録媒体pを第２の用紙カセット１０１から取り出し、第２の搬送ローラ対１０５、第１の搬送ローラ対１０４およびレジストローラ対１０６に搬送する。
【００１５】
搬送ベルト１０７は、駆動ローラ１０８と２本の従動ローラ１０９で張力が与えられている。搬送ベルト１０７の表面には、所定間隔で穴が空いている。また、搬送ベルト１０７の内側には、記録媒体pを搬送ベルト１０７に吸着させるために、ファン１１０に連結された負圧チャンバ１１１が設置されている。
【００１６】
駆動ローラ１０８は、給紙部であるレジストローラ対１０６が設けられた上流側から、排紙部である第１の搬送ローラ対１１２、第２の搬送ローラ対１１３、第３の搬送ローラ対１１４が設けられた下流側へ向けて記録媒体ｐを搬送するように搬送ベルト１０７を駆動する。記録媒体ｐの搬送方向は、インクジェット記録装置１における記録動作から見ると副走査方向である。
【００１７】
搬送ベルト１０７の上方には、印刷データに応じてインクを記録媒体ｐに吐出するインクジェット記録ヘッドが５列で配置されている、上流側から反応液を吐出するインクジェット記録ヘッド１１５Ｓ、シアン（Ｃ）インクを吐出するインクジェット記録ヘッド１１５Ｃ、マゼンタ（Ｍ）インクを吐出するインクジェット記録ヘッド１１５Ｍ、イエロー（Ｙ）インクを吐出するインクジェット記録ヘッド１１５Ｙ、ブラック（Ｂｋ）インクを吐出するインクジェット記録ヘッド１１５Ｂｋの順で配置されている。
【００１８】
インクジェットヘッド１１５Ｓ、１１５Ｃ、１１５Ｍ、１１５Ｙ、１１５Ｂｋそれぞれは、反応液またはインクを吐出するノズルが記録媒体ｐの幅方向に渡って、所定の解像度で配置されている。つまり、インクジェット記録ヘッド１１５Ｓ、１１５Ｃ、１１５Ｍ、１１５Ｙ、１１５Ｂｋは、図示しない複数のノズルがライン上に配列されたライン型のプリントヘッドである。インクジェット記録ヘッド１１５Ｓ、１１５Ｃ、１１５Ｍ、１１５Ｙ、１１５Ｂｋは、搬送ベルト１０７による記録媒体ｐの搬送方向と直交する方向にノズルが配列されている。これらのノズルは、搬送ベルト１０７の上に位置する記録媒体ｐに対して規定の間隔を隔てて位置付けられるように配列されている。ここで、ノズルの配列方向は、主走査方向とする。
【００１９】
第１の実施形態に係るインクジェット記録装置１は、記録媒体ｐを搬送する搬送ベルト１０７上にライン型のインクジェット記録ヘッド１１５Ｓ、１１５Ｃ、１１５Ｍ、１１５Ｙ、１１５Ｂｋを設けている。インクジェット記録ヘッド１１５Ｓ、１１５Ｃ、１１５Ｍ、１１５Ｙ、１１５Ｂｋの本体の端面には、所定のピッチでノズルが設けられている。また、インクジェット記録ヘッド１１５Ｓ、１１５Ｃ、１１５Ｍ、１１５Ｙ、１１５Ｂｋそれぞれには、インク室を介してノズルに対向する位置にアクチュエータが設けられている。
【００２０】
アクチュエータは、各インク室を仕切る隔壁の頂部に取り付けられている振動板と圧電振動子により構成されている。圧電振動子に画素パターンから構成された駆動信号によって電圧が印加されると振動板が変形する。そして、インク室の体積変化による圧力がインク室内のインクに伝搬し、ノズルからインクが吐出する。ノズルの配列ピッチは、印刷される画素の密度により適宜選択される。このように、インクジェット記録ヘッド１１５Ｓ、１１５Ｃ、１１５Ｍ、１１５Ｙ、１１５Ｂｋは、入力された画像信号に基づいて記録媒体ｐに対して記録動作する。
【００２１】
ここで、インクジェットプリンタを使用した階調印字としては、ディザ方式のようにインク滴の大きさを変えずに複数のドットでマトリックスを組んで１ピクセルとし、ピクセル内のドット数の違いで階調を表現する面積階調方式がある。また、階調印字としては、インク滴の大きさを可変することで１ドットの濃度を変えるボリュームコントロール方式もある。さらには、階調印字としては、インク滴の大きさを変えずに記録媒体のほぼ同一箇所に対して打ち込むインク滴の数を可変して画素径を変化させマルチドロップ駆動方式もある。これらにはそれぞれ一長一短があり、用途に応じて適した印字方式が使用される。
【００２２】
また、インクジェット記録ヘッド１１５Ｓ、１１５Ｃ、１１５Ｍ、１１５Ｙ、１１５Ｂｋは、ライン型であればその駆動方式を問わない。つまり、インクジェット記録ヘッド１１５Ｓ、１１５Ｃ、１１５Ｍ、１１５Ｙ、１１５Ｂｋには、熱電変換素子を用いた方式、電歪変換素子を用いた方式、その他のあらゆる方式のインク吐出方式を適用することが可能である。
【００２３】
搬送ベルト１０７と駆動ローラ１０８は、記録媒体ｐとインクジェット記録ヘッド１１５Ｓ、１１５Ｃ、１１５Ｍ、１１５Ｙ、１１５Ｂｋとをノズルの配列方向と直交する副走査方向に相対的に移動する副走査駆動部である。
【００２４】
つまり、第１の実施形態に係るインクジェット記録装置１は、ライン方式（1パス記録方式）で記録媒体ｐに対して記録動作する。
【００２５】
更に、インクジェット記録ヘッド１１５Ｓ、１１５Ｃ、１１５Ｍ、１１５Ｙ、１１５Ｂｋには、反応液が充填されているインクカートリッジ１１６Ｓ、各色インクが充填されているシアン（Ｃ）インクカートリッジ１１６Ｃ、マゼンタ（Ｍ）インクカートリッジ１１６Ｍ、イエロー（Ｙ）インクカートリッジ１１６Ｙ、ブラック（Ｂｋ）インクカートリッジ１１６Ｂｋがそれぞれ設けられている。インクジェット記録ヘッド１１５Ｓ、１１５Ｃとインクカートリッジ１１６Ｃ、インクジェット記録ヘッド１１５Ｍとインクカートリッジ１１６Ｍ、インクジェット記録ヘッド１１５Ｙとインクカートリッジ１１６Ｙ、インクジェット記録ヘッド１１５Ｂｋとインクカートリッジ１１６Ｂｋは、それぞれチューブ１１７Ｓ、１１７Ｃ、１１７Ｍ、１１７Ｙ、１１７Ｂｋで連結されている。
【００２６】
本実施形態で使用するインク組成物は、カラー印字する場合にはカラーインク組成物、具体的にはイエローインク組成物、マゼンタインク組成物、およびシアンインク組成物、ブラックインク組成物を指す。
【００２７】
インク組成物は、少なくとも着色剤と水とを含んでいる。インク組成物に含まれる着色剤としては、染料、顔料のいずれであってもよい。
【００２８】
ここで、ブラック、イエロー、シアン、およびマゼンタのインク組成物の一例を示す。
【００２９】
ブラック
自己分散型カーボンブラック分散液
（キャボット・スペシャルティ・ケミカルズ・インク社製）
（カーボンブラック固形分濃度）                              ８．０重量％
グリセリン                                                ３０．０重量％
エチレングリコールモノブチルエーテル                        ０．５重量％
サーフィノール４６５                                        １．０重量％
プロキセルＸＬ−２（Ｓ）                                    ０．２重量％
イオン交換水                                        残量（６０．３重量％）
イエロー
自己分散型イエロー分散液
（キャボット・スペシャルティ・ケミカルズ・インク社製）
（イエロー顔料固形分濃度）                                  ６．０重量％
グリセリン                                                ４５．０重量％
エチレングリコールモノブチルエーテル                        ５．０重量％
サーフィノール４６５                                        １．０重量％
プロキセルＸＬ−２（Ｓ）                                    ０．２重量％
イオン交換水                                        残量（４２．８重量％）
マゼンタ
高分子分散剤分散型マゼンタ分散液
（富士色素社製）
（マゼンタ顔料固形分濃度）                                  ６．０重量％
グリセリン                                                ４５．０重量％
ジエチレングリコールモノブチルエーテル                      ５．０重量％
サーフィノール４６５                                        １．０重量％
プロキセルＸＬ−２（Ｓ）                                    ０．２重量％
イオン交換水                                        残量（４２．８重量％）
シアン
高分子分散剤分散型シアン分散液
（富士色素社製）
（シアン顔料固形分濃度）                                    ６．０重量％
グリセリン                                                ４５．０重量％
トリエチレングリコールモノブチルエーテル                    ５．０重量％
サーフィノール４６５                                        １．０重量％
プロキセルＸＬ−２（Ｓ）                                    ０．２重量％
イオン交換水                                        残量（４２．８重量％）
本実施形態で使用する反応液は、インク組成物中の着色剤などの分散状態を破壊し、着色剤成分などを凝集させる性質を有する反応剤を含有している。
【００３０】
反応液は、例えば、反応剤として多価金属塩、ポリアミン、ポリアミン誘導体、酸性液体、カチオン性界面活性剤などを含んで成る。反応剤が多価金属塩である場合、好ましい例としては、二価以上の多価金属イオンとこれら多価金属イオンに結合する陰イオンとから構成された水に可溶な塩が挙げられる。
【００３１】
多価金属イオンの具体例としては、Ca2+、Cu2+、Ni2+、Mg2+、Zn2+、Ba2+などの二価金属イオンA1３+、Fe３+、Cr３+などの三価金属イオンがあげられる。陰イオンとしては、Cl−、N0３−、Ｉ−、Br−、ＣｌＯ３−およびCH３COO−などがある。なかでも、Ca２+またはMg２+より構成される金属塩は、良好である。
【００３２】
例えば、反応液の組成物は、以下のようなものである。
【００３３】
反応液  塩化カルシウム                               25重量%
トリエチレングリコーノレモノブチルエーテル             10重量%
グリセリン                                   20重量%
純水                                       残量
このようなインク組成物と多価金属塩である反応剤は、インク組成物の付着重量に対する反応液の付着重量を１．０：０．２〜１．１の比の範囲とすることが好ましい。より好ましくは、１．０：０．３〜０．８の比の範囲である。
【００３４】
図１０は、第１の実施形態に係るインクジェット記録装置１の画像形成における制御系を示すブロック図である。インクジェット記録装置１の制御系は、ＣＰＵ（マイクロプロセッサ）９０１、ＣＰＵ９０１にバス接続されてマイクロコンピュータを構築するＲＯＭ（プログラムメモリ）９０２及びＲＡＭ（ワーキングメモリ）９０４、データを格納したデータメモリ９０３、入力ポート９０６を介して操作パネル９０７等を備えている。操作パネル９０７は、インクジェット記録装置１の動作環境の詳細設定あるいは動作プロセスの動作状況などを表示させるために備えられている。操作パネル９０７は、各部の駆動回路からの動作信号をフィードバックして表示または設定する。
【００３５】
ＣＰＵ（マイクロプロセッサ）９０１は、電源回路９１０、インクジェット記録ヘッド駆動回路９１１、搬送部駆動回路９１２、画像処理部９０をそれぞれ制御する。ＣＰＵ９０１は、インクジェット記録装置１の各部を駆動制御する。ＣＰＵ９０１は、ＲＯＭ９０２またはデータメモリ９０３に格納された動作プログラムにしたがって各部を制御する。
【００３６】
電源回路９１０は、各部に電源供給する。インクジェット記録ヘッド駆動回路９１１は、インクジェット記録ヘッド１１５Ｓ、１１５Ｃ、１１５Ｍ、１１５Ｙ、１１５Ｂｋに駆動信号を転送する。搬送部駆動回路９１２は、搬送ベルト１０７を駆動する駆動ローラ１０８における搬送駆動するローラを制御する。画像処理部９０は、インターフェース９０８を介してコンピュータ９０９から受信した印刷データを画像処理する。
【００３７】
次に、第１の実施形態に係るインクジェット記録装置１による画像形成動作について説明する。はじめに、ＣＰＵ９０１は、インターフェース９０８を介してコンピュータ９０９から受信した記録媒体ｐに印刷する印刷データまたはコマンドを取得してＲＡＭ９０４に転送する。ＣＰＵ９０１は、ＲＯＭ９０２に格納された動作プログラム及びデータメモリ９０３に格納された指令データなどに基づき印刷データを画像処理部９０で画像処理する。ＣＰＵ９０１は、インクジェット記録装置１の各部に対して動作プログラムに応じた動作プロセスで駆動制御し、記録媒体ｐ上に画像を記録するように制御する。
【００３８】
ＣＰＵ９０１は、画像処理部９０で画像処理した印刷データをインクジェット記録ヘッド駆動回路９１１に送信する。
【００３９】
次に、第１の給紙ローラ１０２または第２の給紙ローラ１０３は、選択された記録媒体サイズの記録媒体pを第１の用紙カセット１００または第２の用紙カセット１０１から一枚ずつ取り出す。そして、記録媒体pは、第１の搬送ローラ対１０４または第２の搬送ローラ対１０５およびレジストローラ対１０６に搬送される。
【００４０】
レジストローラ対１０６は、記録媒体ｐのスキューを補正し、所定のタイミングで搬送を開始する。負圧チャンバ１１１は、ファン１１０を駆動して減圧することで搬送ベルト１０７の穴を介して空気を吸い込む。記録媒体ｐは、搬送ベルト１０７の上で吸着された状態でインクジェット記録ヘッド１１５Ｓ、１１５Ｃ、１１５Ｍ、１１５Ｙ、１１５Ｂｋと対向する位置に搬送される。
【００４１】
インクジェット記録ヘッド駆動回路９１１は、印刷データに基づいてインクジェット記録ヘッド１１５Ｓ、１１５Ｃ、１１５Ｍ、１１５Ｙ、１１５Ｂｋそれぞれに駆動信号を送信する。ここで、インクジェット記録ヘッド１１５Ｓは、反応液が充填されているインクカートリッジ１１６Ｓとチューブ１１７Ｓで連結されている。インクジェット記録ヘッド１１５Ｃは、シアンのインクが充填されているインクカートリッジ１１６Ｃとチューブ１１７Ｃで連結されている。インクジェット記録ヘッド１１５Ｍは、マゼンタのインクが充填されているインクカートリッジ１１６Ｍとチューブ１１７Ｍで連結されている。インクジェット記録ヘッド１１５Ｙは、イエローのインクが充填されているインクカートリッジ１１６Ｙとチューブ１１７Ｙで連結されている。インクジェット記録ヘッド１１５Ｂｋは、ブラックのインクが充填されているインクカートリッジ１１６Ｂｋとチューブ１１７Ｂｋで連結されている。インクジェット記録ヘッド１１５Ｓ、１１５Ｃ、１１５Ｍ、１１５Ｙ、１１５Ｂｋには、印刷データに基づいて適宜反応液またはインクが供給される。インクジェット記録ヘッド１１５Ｓ、１１５Ｃ、１１５Ｍ、１１５Ｙ、１１５Ｂｋは、駆動信号に従ってノズルから選択的にインクをマルチドロップインク滴として記録媒体ｐ上に吐出する。この処理を主走査駆動処理と称す。
【００４２】
ここで、インクジェット記録ヘッド１１５Ｃ、１１５Ｍ、１１５Ｙ、１１５Ｂｋは、一滴がインク吐出量・6ｐＬのマルチドロップ駆動式のヘッドである。インクジェット記録ヘッド１１５Ｓは、一滴が反応液吐出量・3pLのマルチドロップ駆動式のヘッドである。
【００４３】
ＣＰＵ９０１は、搬送部駆動回路９１２によって駆動ローラ１０８を駆動制御する。ＣＰＵ９０１は、駆動ローラ１０８によりインクジェット記録ヘッド１１５Ｓ、１１５Ｃ、１１５Ｍ、１１５Ｙ、１１５Ｂｋのノズルの配列方向に対して直交するように記録媒体ｐを副走査方向に移動させる。この処理を副走査駆動処理と称す。記録動作は、主走査駆動処理と副走査駆動処理による。
【００４４】
ＣＰＵ９０１は、印刷データに応じて、搬送部駆動回路９１２による記録媒体ｐの搬送タイミングに合わせてインクジェット記録ヘッド駆動回路９１１を駆動してインクジェット記録ヘッド１１５Ｓ、１１５Ｃ、１１５Ｍ、１１５Ｙ、１１５Ｂｋによるインクの吐出を制御する。したがって、インクジェット記録ヘッド１１５Ｓ、１１５Ｃ、１１５Ｍ、１１５Ｙ、１１５Ｂｋと記録媒体ｐの距離は、一定の間隔、例えば０．５〜２．０ｍｍで保持される。
【００４５】
ＣＰＵ９０１は、レジストローラ対１０６から記録媒体ｐが搬送されるタイミングと同期させて、インクジェット記録ヘッド１１５Ｓ、１１５Ｃ、１１５Ｍ、１１５Ｙ、１１５Ｂｋから反応液および各色のインクを吐出させる。インクジェット記録ヘッド１１５Ｓ、１１５Ｃ、１１５Ｍ、１１５Ｙ、１１５Ｂｋのノズルは、記録媒体ｐの幅方向に渡って配列されているので、記録媒体ｐが搬送されると、記録媒体ｐにはフルカラー画像が全面に形成される。画像が形成された記録媒体ｐは、第１の搬送ローラ対１１２、第２の搬送ローラ対１１３、第３の搬送ローラ対１１４によって排紙トレイ１１８に排紙される。
【００４６】
次に、インクジェット記録ヘッド１１５Ｓ、１１５Ｃ、１１５Ｍ、１１５Ｙ、１１５Ｂｋを使用して印刷するための第１の実施形態に係る画像形成方法について説明する。図２は、第１の実施形態に係る画像形成方法を説明するブロック図である。画像処理部９０は、色変換部２０１、２値化処理部２０２、色データ生成部２０３、反応液データ生成部２０４を有する。
【００４７】
色変換部２０１は、インターフェース９０８を介してコンピュータ９０９から受信した印刷データであるＲＧＢ画像をＣＭＹＫ画像に色変換する。色変換部２０１は、色変換したシアン、マゼンタ、イエロー、ブラックの各データを生成する。２値化処理部２０２は、色変換部２０１で変換されたシアン、マゼンタ、イエロー、ブラックの各データを２値化する。色データ生成部２０３は、２値化処理部２０２で２値化されたシアン、マゼンタ、イエロー、ブラックの各インクのプリントデータを生成する。反応液データ生成部２０４は、インクジェット記録ヘッド１１５Ｓで吐出する反応液の吐出を規定する反応液データを生成する。反応液データ生成部２０４は、２値化処理２０２で生成された各画素におけるシアン、マゼンタ、イエロー、ブラック各インクのプリントデータの総和から反応液データを生成する。
【００４８】
ＣＰＵ９０１は、色データ生成部２０３で生成したプリントデータおよび反応液データ生成部２０４で生成した反応液データをインクジェット記録ヘッド駆動回路９１１に送信する。インクジェット記録ヘッド駆動回路９１１は、プリントデータおよび反応液データに基づいてインクジェット記録ヘッド１１５Ｓ、１１５Ｃ、１１５Ｍ、１１５Ｙ、１１５Ｂｋそれぞれに対して駆動信号を送信する。インクジェット記録ヘッド１１５Ｓ、１１５Ｃ、１１５Ｍ、１１５Ｙ、１１５Ｂｋそれぞれは、インクジェット記録ヘッド駆動回路９１１から送信された駆動信号に基づいて駆動する。インクジェット記録ヘッド１１５Ｓ、１１５Ｃ、１１５Ｍ、１１５Ｙ、１１５Ｂｋそれぞれは、反応液またはインクを吐出する。記録媒体ｐには、所望の位置にカラー画像が形成される。
【００４９】
図３は、記録媒体ｐに印刷される画像面内における１画素を２値に変換する具体例を示している。記録媒体ｐには、色データ生成部２０３で生成されたプリントデータに基づいて２値のカラー画像２０１が印刷される。カラー画像２０１は、黒文字の“Ａ”と赤文字の“Ｂ”である。カラー画像３０２Ａは、記録媒体ｐに印刷される“Ａ”を部分的に拡大した図である。カラー画像３０２Ａの斜線部は、黒文字“Ａ”を構成する任意の１画素を示している。
【００５０】
色データ生成部２０３は、斜線部分の１画素を構成するシアン、マゼンタ、イエロー、ブラック各インクのプリントデータ３０３Ａを、（Ｃ、Ｍ、Ｙ、Ｂｋ）＝（０、０、０、１）と判断する。ここで、“１”は、インクを１滴吐出することを意味する。“０”は、インクを吐出しないことを意味する。したがって、反応液データ生成部２０４は、反応液データ３０４Ａに示すように、カラー画像３０２Ａの斜線部分の１画素における反応液データをシアン、マゼンタ、イエロー、ブラックのプリントデータの合算である1と判断する。つまり、反応液の液滴数は、カラー画像３０２Ａの斜線部分における１画素に対して１滴必要である。インクジェット記録ヘッド１１５Ｓは、カラー画像３０２Ａの斜線部分における１画素に対して反応液を1滴吐出して印刷する。
【００５１】
カラー画像３０２Ｂは、記録媒体ｐに印刷される“Ｂ”を部分的に拡大した図である。カラー画像３０２Ｂの斜線部は、赤文字“Ｂ”を構成する任意の１画素を示している。色データ生成部２０３は、斜線部分の１画素を構成するシアン、マゼンタ、イエロー、ブラック各インクのプリントデータ３０３Ｂを、（Ｃ、Ｍ、Ｙ、Ｂｋ）＝（０、１、１、０）と判断する。したがって、反応液データ生成部２０４は、反応液データ３０４Ｂに示すように、カラー画像３０２Ｂの斜線部分の１画素における反応液データをシアン、マゼンタ、イエロー、ブラックのプリントデータの合算である２と判断する。つまり、反応液の液滴数は、カラー画像３０２Ｂの斜線部分における１画素に対して２滴必要である。インクジェット記録ヘッド１１５Ｓは、カラー画像３０２Ｂの斜線部分における１画素に対して反応液を２滴吐出して印刷する。
【００５２】
つまり、ＣＰＵ９０１は、インクジェット記録ヘッド１１５Ｃ、１１５Ｍ、１１５Ｙ、１１５Ｂｋが吐出するインク滴量の合計である総インク滴量とインクジェット記録ヘッド１１５Ｓが吐出する液滴量との画素毎の比率を一定にする。１画素におけるインクジェット記録ヘッド１１５Ｓが吐出する液滴量は、インクジェット記録ヘッド１１５Ｃ、１１５Ｍ、１１５Ｙ、１１５Ｂｋが吐出する総インク滴量以下であってもよい。
【００５３】
第１の実施形態によれば、記録媒体ｐに印刷するカラー画像の各画素における４色のインクのインク滴総数をカウントし、反応液を印刷する液滴量を決定することができる。さらに、第１の実施形態によれば、簡易な構成で、反応液の液滴と４色のインクのインク滴の合算の比率を適切に保ちながら高速に印刷することが可能となる。
【００５４】
次に、インクジェット記録ヘッド１１５Ｓ、１１５Ｃ、１１５Ｍ、１１５Ｙ、１１５Ｂｋを使用して印刷するための第２の実施形態に係る画像形成方法について説明する。
【００５５】
図４は、第２の実施形態に係る画像形成方法を説明するブロック図である。画像処理部９０は、色変換部４０１、多値化処理部４０２、色データ生成部４０３、反応液データ生成部４０４を有する。インクジェット記録ヘッド１１５Ｓによる反応液吐出量およびインクジェット記録ヘッド１１５Ｃ、１１５Ｍ、１１５Ｙ、１１５Ｂｋによるインク吐出量は、第１の実施形態と同様である。インクジェット記録装置１の構成および４色のインクおよび反応液の組成物も第１の実施形態と同様であるため、ここでは説明を省略する。
【００５６】
色変換部４０１は、第１の実施形態の色変換部２０１と同様に、ＲＧＢ画像からシアン、マゼンタ、イエロー、ブラックの各データを生成する。多値化処理部４０２は、色変換部４０１で変換された各データを多値化する。ここでは、多値化処理部４０２が各データを８値化する場合について説明する。色データ生成部４０３は、多値化処理部４０２で８値化されたシアン、マゼンタ、イエロー、ブラックの各インクのプリントデータを生成する。
【００５７】
反応液データ生成部４０４は、第１の実施形態の反応液データ生成部２０４と同様に、多値化処理４０２で生成された各画素におけるシアン、マゼンタ、イエロー、ブラック各インクのプリントデータの総和から反応液データを生成する。
【００５８】
インクジェット記録ヘッド１１５Ｓ、１１５Ｃ、１１５Ｍ、１１５Ｙ、１１５Ｂｋそれぞれは、第１の実施形態と同様に、色データ生成部４０３で生成したプリントデータおよび反応液データ生成部４０４で生成した反応液データに基づいて駆動する。記録媒体ｐには、所望の位置にカラー画像が形成される。
【００５９】
図５は、記録媒体ｐに印刷される画像面内における１画素を多値に変換する具体例を示している。記録媒体ｐには、色データ生成部４０３で生成されたプリントデータに基づいて多値のカラー画像５０１が印刷される。カラー画像５０１は、自然画像である。
【００６０】
カラー画像５０２は、記録媒体ｐに印刷される自然画像の一部を部分的に拡大した図である。カラー画像５０２の斜線部は、自然画像を構成する任意の１画素を示している。色データ生成部４０３は、斜線部分の１画素を構成するシアン、マゼンタ、イエロー、ブラック各インクのプリントデータ５０３を、（Ｃ、Ｍ、Ｙ、Ｂｋ）＝（５、０、５、１）と判断する。各数字は、８段階に階調処理された結果を示している。各数字は、マルチドロップ駆動方式のインクジェット記録ヘッド１１５Ｃ、１１５Ｍ、１１５Ｙ、１１５Ｂｋが吐出するインクのインク滴数である。“５”は、インクを５滴吐出することを意味する。
【００６１】
したがって、反応液データ生成部４０４は、反応液データ５０４に示すように、カラー画像５０２の斜線部分の１画素における反応液データをシアン、マゼンタ、イエロー、ブラックのプリントデータの合算である1１と判断する。つまり、反応液の液滴数は、カラー画像５０２の斜線部分における１画素に対して１１滴必要である。インクジェット記録ヘッド１１５Ｓは、カラー画像５０２の斜線部分における１画素に対して反応液を１１滴吐出して印刷する。
【００６２】
つまり、ＣＰＵ９０１は、インクジェット記録ヘッド１１５Ｃ、１１５Ｍ、１１５Ｙ、１１５Ｂｋが吐出するインク滴量の合計である総インク滴量とインクジェット記録ヘッド１１５Ｓが吐出する液滴量との画素毎の比率を一定にする。１画素におけるインクジェット記録ヘッド１１５Ｓが吐出する液滴量は、インクジェット記録ヘッド１１５Ｃ、１１５Ｍ、１１５Ｙ、１１５Ｂｋが吐出する総インク滴量以下であってもよい。
【００６３】
上記第１の実施形態および第２の実施形態を一般的に表すと、はじめに、色データ生成部４０３は、ｎ（ｎは２以上）値化したシアンプリントデータ、マゼンタプリントデータ、イエロープリントデータ、ブラックプリントデータを生成する。次に、インクジェット記録ヘッド１１５Ｃは、シアンプリントデータに基づいて、色データ生成部４０３でｎ段階のうちｗ（ｗ≦ｎ）を設定した画素に対してシアンインクをｗ回吐出する。インクジェット記録ヘッド１１５Ｍは、マゼンタプリントデータに基づいて、色データ生成部４０３でｎ段階のうちｘ（ｘ≦ｎ）を設定した画素に対してマゼンタインクをｘ回吐出する。インクジェット記録ヘッド１１５Ｙは、イエロープリントデータに基づいて、色データ生成部４０３でｎ段階のうちｙ（ｗ≦ｎ）を設定した画素に対してイエローインクをｙ回吐出する。インクジェット記録ヘッド１１５Ｂｋは、ブラックプリントデータに基づいて、色データ生成部４０３でｎ段階のうちｚ（ｚ≦ｎ）を設定した画素に対してブラックインクをｚ回吐出する。
【００６４】
このとき、インクジェット記録ヘッド１１５Ｓは、シアンプリントデータ、マゼンタプリントデータ、イエロープリントデータ、ブラックプリントデータから、画素毎にｎ値化した値を合算した反応液ドロップ数（ｗ+ｘ+ｙ+ｚ）回、反応液を吐出する。
【００６５】
第２の実施形態によれば、記録媒体ｐに印刷するカラー画像の各画素における４色のインクのインク滴総数をカウントし、反応液を印刷する液滴量を決定することができる。さらに、第２の実施形態によれば、簡易な構成で、特別な処理を用いずに反応液の液滴と４色のインクのインク滴の合算の比率を適切に保ちながら高速に印刷することができる。
【００６６】
次に、インクジェット記録ヘッド１１５Ｓ、１１５Ｃ、１１５Ｍ、１１５Ｙ、１１５Ｂｋを使用して印刷するための第３の実施形態に係る画像形成方法について説明する。インクジェット記録ヘッド１１５Ｓによる反応液吐出量およびインクジェット記録ヘッド１１５Ｃ、１１５Ｍ、１１５Ｙ、１１５Ｂｋによるインク吐出量は、第１の実施形態と同様である。インクジェット記録装置１の構成および４色のインクおよび反応液の組成物も第１の実施形態と同様であるため、ここでは説明を省略する。
【００６７】
ここで、インクジェット記録ヘッド１１５Ｃ、１１５Ｍ、１１５Ｙ、１１５Ｂｋが記録媒体ｐに対して各色のインクを用いて印刷すると、記録媒体ｐは、インクの水分により変形し波打が発生する。図６は、１画素当たりのインク量と記録媒体ｐにおける波打ちの関係を調査した結果を示す。
【００６８】
インク量は、一滴がインク吐出量6ｐＬのドロップ数としている。記録媒体ｐに発生する波打ちの判断は、目視によってなされている。“○”は、記録媒体ｐに波打ちがほとんど発生していないことを示す（許容範囲）。“△”は、記録媒体ｐに波打ちが若干発生していることを示す（許容範囲外の可能性が高い）。“×”は、記録媒体ｐに波打ちがかなり発生していることを示す（完全に許容範囲外）。記録媒体ｐは、Toshiba Copy Paper 80g/m2を用いている。
【００６９】
図６に示すように、この記録媒体ｐにおける波打ちは、１画素当たりのインク量が１４ドロップを超えると目立ち始めることが確認された。この記録媒体ｐは、１ドロップのインク吐出量が6ｐＬで、１４ドロップを超えるインク量で印刷されると、波打ちが発生し始める。記録媒体ｐに波打ちが発生しない上限のインク量、第３の実施形態では１４ドロップを最大打ち込み量と称す。
【００７０】
図７は、第３の実施形態に係る画像形成方法を説明するブロック図である。画像処理部９０は、色変換部７０１、多値化処理部７０２、色データ生成部７０３、反応液データ生成部７０４、最大打ち込み量補正部７０５を有する。インクジェット記録ヘッド１１５Ｓによる反応液吐出量およびインクジェット記録ヘッド１１５Ｃ、１１５Ｍ、１１５Ｙ、１１５Ｂｋによるインク吐出量は、第１の実施形態と同様である。インクジェット記録装置１の構成および４色のインクおよび反応液の組成物も第１の実施形態と同様であるため、ここでは説明を省略する。
【００７１】
色変換部７０１は、第１の実施形態の色変換部２０１と同様に、ＲＧＢ画像からイエロー、マゼンタ、シアン、ブラックの各データを生成する。多値化処理部７０２は、第２の実施形態の多値化処理部４０２と同様に、シアン、マゼンタ、イエロー、ブラックの各データを８値化する。色データ生成部７０３は、第２の実施形態の色データ生成部４０３と同様に、８値化されたシアン、マゼンタ、イエロー、ブラックの各インクのプリントデータを生成する。
【００７２】
反応液データ生成部７０４は、第２の実施形態の反応液データ生成部４０４と同様に、多値化処理部７０２で生成された各画素におけるシアン、マゼンタ、イエロー、ブラック各インクのプリントデータの総和から反応液データを生成する。最大打ち込み量補正部７０５は、色データ生成部７０３で生成された各画素におけるシアン、マゼンタ、イエロー、ブラックの各プリントデータと反応液データ生成部７０４で生成された反応液データに基づいてプリントデータおよび反応液データを補正する。最大打ち込み量補正部７０５による補正は、後に詳述する。
【００７３】
ＣＰＵ９０１は、最大打ち込み量補正部７０５で補正した補正後のプリントデータおよび補正後の反応液データをインクジェット記録ヘッド駆動回路９１１に送信する。インクジェット記録ヘッド駆動回路９１１は、補正後のプリントデータおよび補正後の反応液データに基づいてインクジェット記録ヘッド１１５Ｓ、１１５Ｃ、１１５Ｍ、１１５Ｙ、１１５Ｂｋそれぞれに対して駆動信号を送信する。インクジェット記録ヘッド１１５Ｓ、１１５Ｃ、１１５Ｍ、１１５Ｙ、１１５Ｂｋそれぞれは、インクジェット記録ヘッド駆動回路９１１から送信された駆動信号に基づいて駆動する。インクジェット記録ヘッド１１５Ｓ、１１５Ｃ、１１５Ｍ、１１５Ｙ、１１５Ｂｋそれぞれは、反応液またはインクを吐出する。記録媒体ｐには、所望の位置にカラー画像が形成される。
【００７４】
図８は、記録媒体ｐに印刷される画像面内における１画素を多値に変換する具体例を示している。記録媒体ｐには、色データ生成部７０３で生成されたプリントデータに基づいて多値のカラー画像８０１が印刷される。カラー画像８０１は、自然画像である。
【００７５】
カラー画像８０２は、記録媒体ｐに印刷される自然画像の一部を部分的に拡大した図である。カラー画像８０２の斜線部は、自然画像を構成する任意の１画素を示している。色データ生成部８０３は、斜線部分の１画素を構成するシアン、マゼンタ、イエロー、ブラック各インクのプリントデータ８０３を、（Ｃ、Ｍ、Ｙ、Ｂｋ）＝（５、０、５、１）と判断する。
【００７６】
したがって、反応液データ生成部７０４は、反応液データ８０４に示すように、カラー画像８０２の斜線部分の１画素における反応液データをシアン、マゼンタ、イエロー、ブラックのプリントデータの合算である１１と判断する。つまり、反応液の液滴数は、カラー画像８０２の斜線部分における１画素に対して１１滴必要である。
【００７７】
最大打ち込み量補正部７０５は、一滴の吐出量を６ｐＬとした場合における斜線部分の１画素に対して吐出する４色のインクのインク滴数と反応液の液滴数の合算した総ドロップ数を算出する。４色のインクについて合算したインク滴数は、インクジェット記録ヘッド１１５Ｃ、１１５Ｍ、１１５Ｙ、１１５Ｂｋのインク吐出量が一滴で6ｐＬなので、一滴の吐出量6ｐＬに換算しても１１ドロップである。反応液の反応液滴数は、インクジェット記録ヘッド１１５Ｓの反応液吐出量が一滴で３ｐＬなので、一滴の吐出量6ｐＬに換算すると、１１ドロップの半分の５．５ドロップとなる。最大打ち込み量補正部７０５は、総ドロップ数８０５に示すように、斜線部分の1画素について一滴の吐出量６ｐＬで１１＋５．５＝１６．５ドロップ相当のインクおよび反応液で印刷すると判断する。
【００７８】
第３の実施形態で用いられる記録媒体ｐは、図６に示すように、１画素当たりの総ドロップ数が１４を超えると波打ちが発生する。したがって、最大打ち込み量補正部７０５は、総ドロップ数が１４を超えた１６，５であるため、シアン、マゼンタ、イエロー、ブラックのプリントデータを補正する必要があると判断する。
【００７９】
最大打ち込み量補正部７０５は、記録媒体ｐに波打ちが発生しない領域、つまり第３の実施形態で用いられている記録媒体ｐにあっては１画素当たり１４ドロップ以下のインク滴数となるように制御する。
【００８０】
次に、最大打ち込み量補正部７０５による総ドロップ数を１６．５から最大打ち込み量である１４以下に減らすための処理について説明する。最大打ち込み量補正部７０５は、シアン、マゼンタ、イエロー、ブラックの各インクのプリントデータにドロップ数を減らすための割合を乗じて調整する。具体的には、最大打ち込み量補正部７０５は、シアンのインクのプリントデータを５から補正後のプリントデータとして５×１４／１６．５⇒４に変更する。同様に、最大打ち込み量補正部７０５は、マゼンタのインクのプリントデータを０から補正後のプリントデータとして０×１４／１６．５⇒０、イエローのインクのプリントデータを５から補正後のプリントデータとして５×１４／１６．５⇒４、ブラックのインクのプリントデータを１から補正後のプリントデータとして１×１４／１６．５⇒１に変更する。最大打ち込み量補正部７０５は、斜線部分の１画素を構成するシアン、マゼンタ、イエロー、ブラック各インクの補正後のプリントデータ８０６に示すように、（Ｃ、Ｍ、Ｙ、Ｂｋ）＝（４、０、４、１）と判断する。
【００８１】
したがって、最大打ち込み量補正部７０５は、斜線部分の１画素における補正後の反応液データ８０７をシアン、マゼンタ、イエロー、ブラックの補正後のプリントデータの合算である４＋０＋４＋１＝９と判断する。
【００８２】
４色のインクについて合算したインク滴数は、一滴の吐出量6ｐＬで９ドロップである。反応液の反応液滴数は、一滴の吐出量6ｐＬに換算すると、９ドロップの半分の４．５ドロップとなる。斜線部分の1画素における総ドロップ数は、９＋４．５＝１３．５ドロップである。総ドロップ数が最大打ち込み量１４を超えない１３，５であるため、記録媒体ｐに波打ちは発生しない。インクジェット記録ヘッド１１５Ｓ、１１５Ｃ、１１５Ｍ、１１５Ｙ、１１５Ｂｋそれぞれは、最大打ち込み量補正部７０５で補正した補正後のプリントデータおよび補正後の反応液データに基づいて駆動する。記録媒体ｐには、所望の位置にカラー画像が形成される。
【００８３】
上記第３の実施形態を一般的に表すと、はじめに、最大打ち込み量補正部７０５は、インクジェット記録ヘッド１１５Ｓが予め定められた反応液吐出量で吐出する前記ドロップ数（ｗ+ｘ+ｙ+ｚ）をインクジェット記録ヘッド１１５Ｃ、１１５Ｍ、１１５Ｙ，１１５Ｂｋが吐出する予め定められたインク吐出量に換算したドロップ数ａを算出する。次に、最大打ち込み量補正部７０５は、換算したドロップ数ａと、シアンプリントデータ、マゼンタプリントデータ、イエロープリントデータ、ブラックプリントデータから算出したドロップ数（ｗ+ｘ+ｙ+ｚ）の和（ｗ+ｘ+ｙ+ｚ+ａ）が、ドロップ数上限値ｂ以下か否かを判断する。
【００８４】
最大打ち込み量補正部７０５が（ｗ+ｘ+ｙ+ｚ+ａ）≦ｂであると判断した場合、インクジェット記録ヘッド１１５Ｓは、（ｗ+ｘ+ｙ+ｚ）回、反応液を吐出する。インクジェット記録ヘッド１１５Ｃは、ｗ回シアンインクを吐出する、インクジェット記録ヘッド１１５Ｍは、ｘ回マゼンタインクを吐出する。インクジェット記録ヘッド１１５Ｙは、ｙ回イエローインクを吐出する。インクジェット記録ヘッド１１５Ｂｋは、ｚ回ブラックインクを吐出する。
【００８５】
最大打ち込み量補正部７０５が（ｗ+ｘ+ｙ+ｚ+ａ）＞ｂであると判断した場合、インクジェット記録ヘッド１１５Ｃは、ｗ×ｂ／（ｗ+ｘ+ｙ+ｚ+ａ）回シアンインクを吐出する。インクジェット記録ヘッド１１５Ｍは、ｘ×ｂ／（ｗ+ｘ+ｙ+ｚ+ａ）回マゼンタインクを吐出する、インクジェット記録ヘッド１１５Ｙは、ｙ×ｂ／（ｗ+ｘ+ｙ+ｚ+ａ）回イエローインクを吐出する。インクジェット記録ヘッド１１５Ｂｋは、ｚ×ｂ／（ｗ+ｘ+ｙ+ｚ+ａ）回ブラックインクを吐出する。このとき、インクジェット記録ヘッド１１５Ｓは、｛ｗ×ｂ／（ｗ+ｘ+ｙ+ｚ+ａ）｝+｛ｘ×ｂ／（ｗ+ｘ+ｙ+ｚ+ａ）｝+｛ｙ×ｂ／（ｗ+ｘ+ｙ+ｚ+ａ）｝+｛ｚ×ｂ／（ｗ+ｘ+ｙ+ｚ+ａ）｝＝（ｗ+ｘ+ｙ+ｚ）×ｂ／（ｗ+ｘ+ｙ+ｚ+ａ）回、反応液を吐出する。
【００８６】
上記説明したように、最大打ち込み量補正部７０５を用いた第３の実施形態は、記録媒体ｐの種類に依存する。記録媒体ｐの種類が異なれば、波打ちが発生する１画素当たりのインク量も異なるからである。したがって、ユーザは、例えば操作パネル９０７を用いて、印刷される記録媒体ｐに応じて最大打ち込み量を変更するように入力する。印刷される被記録体ｐが変わっても、被記録体ｐに発生する波打ちを抑えることができる。加えて、被記録体ｐが異なっても、印刷品質を一定に保つことができる。
【００８７】
最大打ち込み量の変更は、例えばＲＡＭ９０４が記録媒体ｐの型番と最大打ち込み量の対応情報を予め記憶し、ユーザが用紙の型番を操作パネル９０７で選択することで、ＣＰＵ９０１がＲＡＭ９０４から最大打ち込み量を取得するようにしてもよい。
【００８８】
例えば、第１の給紙ローラ１０２が第１の用紙カセット１００から記録媒体ｐを搬送する過程で、印刷される前にインクジェット記録ヘッド１１５Ｓで印字される前に記録媒体ｐの特性を検知するセンサーを設け、ＣＰＵ９０１が特性と最大打ち込み量の対応情報を記憶したＲＡＭ９０４から最大打ち込み量を取得するようにしてもよい。
【００８９】
第３の実施形態によれば、記録媒体ｐに印刷するカラー画像の各画素における４色のインクのインク滴総数をカウントし、反応液を印刷する液滴量を決定することができる。さらに、第３の実施形態によれば、特別な処理を用いずに反応液の液滴と４色のインクのインク滴の合算の比率を適切に保ちながら高速に印刷することができる。加えて、第３の実施形態によれば、簡易な構成で印刷データの各画素における反応液の液滴とインク組成物のインク滴を合わせたインク量が最大打ち込み量を超えないようにしているため、印刷後も記録媒体ｐは波打つことはない。
【００９０】
上記第1実施形態から第３の実施形態では、図９（ａ）に示すように、インクジェット記録ヘッド１１５Ｓ、１１５Ｃ、１１５Ｍ、１１５Ｙ、１１５Ｂｋが等量の吐出量で複数回吐出することで液滴量またはインク滴量を調整する場合について説明した。図９（ｂ）に示すように、インクジェット記録ヘッド１１５Ｓ、１１５Ｃ、１１５Ｍ、１１５Ｙ、１１５Ｂｋが１回に吐出する液滴量またはインク滴量を調整するボリュームコントロール方式であってもよい。ボリュームコントロール方式は、インクジェット記録ヘッド１１５Ｓ、１１５Ｃ、１１５Ｍ、１１５Ｙ、１１５Ｂｋを図９（ｃ）に示す駆動信号によって制御する。インクジェット記録ヘッド１１５Ｓ、１１５Ｃ、１１５Ｍ、１１５Ｙ、１１５Ｂｋが１回に吐出する液滴量またはインク滴量は、図９（ｄ）に示すように、駆動信号の電圧値の変更に伴って可変である。同様に、インクジェット記録ヘッド１１５Ｓ、１１５Ｃ、１１５Ｍ、１１５Ｙ、１１５Ｂｋが１回に吐出する液滴量またはインク滴量は、図９（ｅ）に示すように、駆動信号のパルス幅の変更に伴っても可変である。ボリュームコントロール方式であっても上記第１の実施形態から第３の実施形態の構成を適用できるとともに、同様の効果を奏する。
【００９１】
本実施形態は以下の構成で実現できる。（１）実施形態の係るインクジェット記録装置は、印刷データを色データに変換する色処理部と、複数のノズルが配列され、記録媒体に対して反応液を吐出する反応液吐出部と、複数のノズルが配列され、前記色データに基づいて前記記録媒体に対してインクを吐出するインク吐出部と、前記インク吐出部によって画像が形成される前記記録媒体を搬送する副走査駆動部と、前記記録媒体に形成される前記画像の画素毎に対して、前記反応液吐出部が吐出する前記反応液の液滴量と前記インク吐出部が吐出する前記インクの総インク滴量との比率を一定に制御する制御部と、を有する。
【００９２】
（２）上記（１）に記載のインクジェット記録装置であって、前記制御部は、画素毎に吐出する前記液滴量を前記総インク滴量以下となるように前記反応液吐出部を制御する。
【００９３】
（３）上記（１）に記載のインクジェット記録装置であって、前記インク吐出部は、シアンインクを吐出するシアンインク吐出部と、マゼンタインクを吐出するマゼンタインク吐出部と、イエローインクを吐出するイエローインク吐出部と、ブラックインクを吐出するブラックインク吐出部とを有する。
【００９４】
（４）上記（３）に記載のインクジェット記録装置であって、前記制御部は、画素毎に前記シアンインク吐出部が吐出するシアンインク滴量、前記マゼンタインク吐出部が吐出するマゼンタインク滴量、前記イエローインク吐出部が吐出するイエローインク滴量、前記ブラックインク吐出部が吐出するブラックインク滴量を合計して前記インク吐出部が吐出する前記総インク滴量を決定する。
【００９５】
（５）上記（４）に記載のインクジェット記録装置であって、前記反応液吐出部は、予め定められた反応液吐出量で1回以上吐出して前記反応液適量となるように調整し、前記シアンインク吐出部は、予め定められたインク吐出量で1回以上吐出して前記シアンインク滴量となるように調整し、前記マゼンタインク吐出部は、前記予め定められたインク吐出量で1回以上吐出して前記マゼンタインク滴量となるように調整し、前記イエローインク吐出部は、前記予め定められたインク吐出量で1回以上吐出して前記イエローインク滴量となるように調整し、前記ブラックインク吐出部は、前記予め定められたインク吐出量で1回以上吐出して前記ブラックインク滴量となるように調整する。
【００９６】
（６）上記（５）に記載のインクジェット記録装置であって、前記色処理部は、前記色データとしてｎ（ｎは２以上）値化したシアンプリントデータ、マゼンタプリントデータ、イエロープリントデータ、ブラックプリントデータを生成する。
【００９７】
（７）上記（６）に記載のインクジェット記録装置であって、前記シアンインク吐出部が前記シアンプリントデータに基づいて、前記色処理部でｎ段階のうち“ｗ”（ｗ≦ｎ）を設定した画素に対して前記シアンインクをｗ回、前記予め定められたインク吐出量で吐出し、前記マゼンタインク吐出部が前記マゼンタプリントデータに基づいて、前記色処理部でｎ段階のうち“ｘ”（ｘ≦ｎ）を設定した画素に対して前記マゼンタインクをｘ回、前記予め定められたインク吐出量で吐出し、前記イエローインク吐出部が前記イエロープリントデータに基づいて、前記色処理部でｎ段階のうち“ｙ”（ｙ≦ｎ）を設定した画素に対して前記イエローインクをｙ回、前記予め定められたインク吐出量で吐出し、前記ブラックインク吐出部が前記ブラックプリントデータに基づいて、前記色処理部でｎ段階のうち“ｚ”（ｚ≦ｎ）を設定した画素に対して前記ブラックインクをｚ回、前記予め定められたインク吐出量で吐出し、前記反応液吐出部は、前記シアンプリントデータ、前記マゼンタプリントデータ、前記イエロープリントデータ、前記ブラックプリントデータから、画素毎に前記ｎ値化した値を合算した反応液ドロップ数（ｗ+ｘ+ｙ+ｚ）回、前記反応液を前記予め定められた反応液吐出量で吐出する。
【００９８】
（８）上記（５）に記載のインクジェット記録装置であって、前記予め定められた反応液吐出量は、前記インク吐出部の1回当たりの前記予め定められたインク吐出量の２分の1である。
【００９９】
（９）上記（７）に記載のインクジェット記録装置であって、前記反応液吐出部が前記予め定められた反応液吐出量で吐出する前記ドロップ数（ｗ+ｘ+ｙ+ｚ）を前記反応液吐出部が前記予め定められたインク吐出量に相当する量を吐出するとして換算したドロップ数をａ、前記換算したドロップ数ａと、前記シアンプリントデータ、前記マゼンタプリントデータ、前記イエロープリントデータ、前記ブラックプリントデータから算出したドロップ数（ｗ+ｘ+ｙ+ｚ）の和が、ドロップ数上限値ｂ以下の場合、前記反応液吐出部は、（ｗ+ｘ+ｙ+ｚ）回、前記反応液を吐出し、前記シアンインク吐出部はｗ回前記シアンインクを吐出し、前記マゼンタインク吐出部はｘ回前記マゼンタインクを吐出し、前記イエローインク吐出部はｙ回前記イエローインクを吐出し、前記ブラックインク吐出部はｚ回前記ブラックインクを吐出する。
【０１００】
（１０）上記（７）に記載のインクジェット記録装置であって、前記反応液吐出部が前記予め定められた反応液吐出量で吐出する前記ドロップ数（ｗ+ｘ+ｙ+ｚ）を前記反応液吐出部が前記予め定められたインク吐出量に相当する量を吐出するとして換算したドロップ数をａ、前記換算したドロップ数ａと、前記シアンプリントデータ、前記マゼンタプリントデータ、前記イエロープリントデータ、前記ブラックプリントデータから算出したドロップ数（ｗ+ｘ+ｙ+ｚ）の和が、ドロップ数上限値ｂを超えている場合、前記反応液吐出部は（ｗ+ｘ+ｙ+ｚ）×ｂ／（ｗ+ｘ+ｙ+ｚ+ａ）回、前記反応液を吐出し、前記シアンインク吐出部はｗ×ｂ／（ｗ+ｘ+ｙ+ｚ+ａ）回前記シアンインクを吐出し、前記マゼンタインク吐出部はｘ×ｂ／（ｗ+ｘ+ｙ+ｚ+ａ）回前記マゼンタインクを吐出し、前記イエローインク吐出部はｙ×ｂ／（ｗ+ｘ+ｙ+ｚ+ａ）回前記イエローインクを吐出し、前記ブラックインク吐出部はｚ×ｂ／（ｗ+ｘ+ｙ+ｚ+ａ）回前記ブラックインクを吐出する。
【０１０１】
（１１）上記（９）に記載のインクジェット記録装置であって、前記ドロップ数上限値ｂを変更する入力部を有する。
【０１０２】
（１２）実施形態に係るインクジェット記録方法は、印刷データを色データに変換し、記録媒体に形成される画像の画素毎に対して吐出する反応液の液滴量とインクの総インク滴量との比率を一定に制御し、前記画像が形成される前記記録媒体を搬送し、前記反応液を画素毎に前記液滴量で前記記録媒体に対して吐出し、前記色データに基づいて前記インクを画素毎に前記総インク滴量で前記記録媒体に対して吐出して画像形成する。
【０１０３】
（１３）上記（１２）に記載のインクジェット記録方法であって、画素毎に吐出する前記液滴量を前記総インク滴量以下に設定する。
【０１０４】
（１４）上記（１３）に記載のインクジェット記録方法であって、画素毎にシアンインク滴量、マゼンタインク滴量、前イエローインク滴量、ブラックインク滴量を合計して前記総インク滴量を決定する。
【０１０５】
（１５）上記（１４）に記載のインクジェット記録方法であって、予め定められた反応液吐出量で1回以上吐出して前記反応液適量となるように調整し、予め定められたインク吐出量で1回以上吐出して前記シアンインク滴量となるように調整し、前記予め定められたインク吐出量で1回以上吐出して前記マゼンタインク滴量となるように調整し、前記予め定められたインク吐出量で1回以上吐出して前記イエローインク滴量となるように調整し、前記予め定められたインク吐出量で1回以上吐出して前記ブラックインク滴量となるように調整する。
【０１０６】
（１６）上記（１５）に記載のインクジェット記録方法であって、前記色データとしてｎ（ｎは２以上）値化したシアンプリントデータ、マゼンタプリントデータ、イエロープリントデータ、ブラックプリントデータを生成する。
【０１０７】
（１７）上記（１６）に記載のインクジェット記録方法であって、前記シアンプリントデータに基づいて、ｎ段階のうち“ｗ”を設定した画素に対して前記シアンインクをｗ回、前記予め定められたインク吐出量で吐出し、前記マゼンタプリントデータに基づいて、ｎ段階のうち“ｘ”を設定した画素に対して前記マゼンタインクをｘ回、前記予め定められたインク吐出量で吐出し、前記イエロープリントデータに基づいて、ｎ段階のうち“ｙ”を設定した画素に対して前記イエローインクをｙ回、前記予め定められたインク吐出量で吐出し、前記ブラックプリントデータに基づいて、ｎ段階のうち“ｚ”を設定した画素に対して前記ブラックインクをｚ回、前記予め定められたインク吐出量で吐出し、前記シアンプリントデータ、前記マゼンタプリントデータ、前記イエロープリントデータ、前記ブラックプリントデータから、画素毎に前記ｎ値化した値を合算した反応液ドロップ数（ｗ+ｘ+ｙ+ｚ）回、前記反応液を前記予め定められた反応液吐出量で吐出する。
【０１０８】
（１８）上記（１７）に記載のインクジェット記録方法であって、前記予め定められた反応液吐出量で吐出する前記ドロップ数（ｗ+ｘ+ｙ+ｚ）を前記予め定められたインク吐出量に相当する量を吐出するとして換算したドロップ数ａを算出し、前記換算したドロップ数ａと、前記シアンプリントデータ、前記マゼンタプリントデータ、前記イエロープリントデータ、前記ブラックプリントデータから算出したドロップ数（ｗ+ｘ+ｙ+ｚ）の和が、ドロップ数上限値ｂ以下の場合、（ｗ+ｘ+ｙ+ｚ）回、前記反応液を吐出し、ｗ回前記シアンインクを吐出し、ｘ回前記マゼンタインクを吐出し、ｙ回前記イエローインクを吐出し、ｚ回前記ブラックインクを吐出する。
【０１０９】
（１９）上記（１７）に記載のインクジェット記録方法であって、前記予め定められた反応液吐出量で吐出する前記ドロップ数（ｗ+ｘ+ｙ+ｚ）を前記予め定められたインク吐出量に相当する量を吐出するとして換算したドロップ数ａを算出し、前記換算したドロップ数ａと、前記シアンプリントデータ、前記マゼンタプリントデータ、前記イエロープリントデータ、前記ブラックプリントデータから算出したドロップ数（ｗ+ｘ+ｙ+ｚ）の和が、ドロップ数上限値ｂを超えている場合、（ｗ+ｘ+ｙ+ｚ）×ｂ／（ｗ+ｘ+ｙ+ｚ+ａ）回、前記反応液を吐出し、ｗ×ｂ／（ｗ+ｘ+ｙ+ｚ+ａ）回前記シアンインクを吐出し、ｘ×ｂ／（ｗ+ｘ+ｙ+ｚ+ａ）回前記マゼンタインクを吐出し、ｙ×ｂ／（ｗ+ｘ+ｙ+ｚ+ａ）回前記イエローインクを吐出し、ｚ×ｂ／（ｗ+ｘ+ｙ+ｚ+ａ）回前記ブラックインクを吐出する。
【符号の説明】
【０１１０】
１１５Ｃ…インクジェット記録ヘッド、１１５Ｍ…インクジェット記録ヘッド、１１５Ｙ…インクジェット記録ヘッド、１１５Ｂｋ…インクジェット記録ヘッド、１１５Ｓ…インクジェット記録ヘッド、２０１…色変換部、２０２…２値化処理部、２０３…色データ生成部、２０４…反応液データ生成部、４０１…色変換部、４０２…多値化処理部、４０３…色データ生成部、４０４…反応液データ生成部、７０１…色変換部、７０２…多値化処理部、７０３…色データ生成部、７０４…反応液データ生成部、７０５…最大打ち込み量補正部。
【先行技術文献】
【特許文献】
【０１１１】
【特許文献１】特開平５−２０２３２８号公報
【特許文献２】特開平３−２４０５５７号公報
【特許文献３】特開平３−２４０５５８号公報
【特許文献４】特開平１１−３４８２５６号公報
【特許文献５】特開平８−１０４０００号公報
【図１】
2010000791.tif 000003
【図２】
2010000791.tif 000004
【図３】
2010000791.tif 000005
【図４】
2010000791.tif 000006
【図５】
2010000791.tif 000007
【図６】
2010000791.tif 000008
【図７】
2010000791.tif 000009
【図８】
2010000791.tif 000010
【図９】
2010000791.tif 000011
【図１０】
2010000791.tif 000012